(57)【要約】【課題】緩衝機能を備えるダンボール箱を提供する。【解決手段】上開閉面Ｕは、各端壁２，３の上縁を基端としてそれぞれ延出された一対の緩衝内フラップ６，７、及び各側壁４，５の上縁を基端としてそれぞれ延出された一対外フラップ８，９からなり、封緘状態で、緩衝内フラップ６，７が、その外側に被さる外フラップ８，９に対して箱内側に離間した位置に保持されるように構成されており、各緩衝内フラップ６，７は、封緘状態で端壁２，３に対して鋭角をなすように箱内側に折り曲げられる基端部６Ｂ，７Ｂと、封緘状態で基端部６Ｂ，７Ｂの折り曲げ方向と反対に折り曲げられ且つ外側に被さる外フラップ８，９に沿って延在する先端側部分６Ｆ，７Ｆと、封緘状態で相対する緩衝内フラップに係止される係止部６ａ，７ａとを有する、ダンボール箱とする。【選択図】図７
2008265773.tif 000002
【特許請求の範囲】
【請求項１】
少なくとも３つの側面部からなる多角筒状の非開閉面と、
この非開閉面の上部開口及び下部開口をそれぞれ開閉する一対の開閉面と、を有し、
これら開閉面の少なくとも一方は、少なくとも２つの側面部の上縁及び下縁のうち当該開閉面に隣接する縁を基端として延出された内フラップと、少なくとも１つの側面部の上縁及び下縁のうち当該開閉面に隣接する縁を基端として延出された外フラップとからなり、内フラップの外側に外フラップが被された状態で封緘されるよう構成され、且つ、封緘状態で、内フラップが、その外側に被さる外フラップに対して箱内側に離間した位置に保持される緩衝内フラップとなるように構成されているダンボール箱であって、
各前記緩衝内フラップは、前記封緘状態で基端に連なる側面部に対して鋭角をなすように箱内側に折り曲げられる基端部と、前記封緘状態で前記基端部の折り曲げ方向と反対に折り曲げられ且つ外側に被さる外フラップに沿って延在する先端側部分と、前記封緘状態で他の緩衝内フラップに係止される係止部とを有する、
ことを特徴とするダンボール箱。
【請求項２】
左右一対の端壁と、前後一対の側壁とからなる四角筒状の非開閉面と、
この非開閉面の上部開口及び下部開口をそれぞれ開閉する一対の開閉面と、を有し、
これら開閉面の少なくとも一方は、各前記端壁の上縁及び下縁のうち当該開閉面に隣接する縁を基端としてそれぞれ延出された一対の内フラップ、及び各前記側壁の上縁及び下縁のうち当該開閉面に隣接する縁を基端としてそれぞれ延出された一対の外フラップからなり、両内フラップの外側に両外フラップが重ねられた状態で封緘されるように構成され、且つ、封緘状態で、両内フラップが、その外側に被さる両外フラップに対して箱内側に離間した位置に保持される緩衝内フラップとなるように構成されているダンボール箱であって、
各前記緩衝内フラップは、前記封緘状態で基端に連なる端壁に対して鋭角をなすように箱内側に折り曲げられる基端部と、前記封緘状態で前記基端部の折り曲げ方向と反対に折り曲げられ且つ外側に被さる外フラップに沿って延在する先端側部分と、前記封緘状態で相対する緩衝内フラップに係止される係止部とを有する、
ことを特徴とするダンボール箱。
【請求項３】
前記一対の緩衝内フラップのうち、一方の緩衝内フラップにおける前記係止部として、一方の緩衝内フラップの先端縁に沿う方向に間隔を空けて複数の突出部を設け、他方の緩衝内フラップにおける前記係止部として、他方の緩衝内フラップの先端縁に前記一方の緩衝内フラップにおける複数の突出部間の間隔よりも狭い幅で突出する突出部を設けてなる、請求項２記載の段ボール箱。
【発明の詳細な説明】
【技術分野】
【０００１】
本発明は、ダンボール箱に関するものであり、より詳細には、ダンボール箱の一部を非梱包物の緩衝材として利用することのできるダンボール箱に関するものである。
【背景技術】
【０００２】
従来、ダンボール箱の内容積よりも小さな体積の被梱包物を梱包する際には、被梱包物とダンボール箱内面との隙間に紙や発泡スチロール等からなる緩衝材を挟む又は詰める等して被梱包物を固定していた。このような緩衝材を用いる固定方法には、材料コストや梱包時の作業性等に改善の余地があったため、その改善策として特許文献１に示されるような、ダンボール箱の一部を緩衝材の代替物として利用するようなものが提案されている。
【特許文献１】特開２００２−１２２１９号公報
【発明の開示】
【発明が解決しようとする課題】
【０００３】
しかしながら、従来の緩衝機能付ダンボール箱は、被梱包物の寸法・形状に合わせて専用設計しなければならないという問題点を有していた。また、構造が複雑であったため、加工や組立作業が煩雑になる点も問題点もあった。また、これらの問題点により、コストが嵩むことも問題であった。
そこで、本発明の主たる課題は、これらの問題点を解決することにある。
【課題を解決するための手段】
【０００４】
上記課題を解決した本発明は次記のとおりである。
なお、本発明における、前・後・上・下・左・右とは、封緘状態において一方の外フラップが延出される一方の側壁を前（正面）とした方向を意味し、発明の説明の便宜上定めたものであって、製品として使用される際の方向を意味するものではない。
【０００５】
＜請求項１記載の発明＞
少なくとも３つの側面部からなる多角筒状の非開閉面と、
この非開閉面の上部開口及び下部開口をそれぞれ開閉する一対の開閉面と、を有し、
これら開閉面の少なくとも一方は、少なくとも２つの側面部の上縁及び下縁のうち当該開閉面に隣接する縁を基端として延出された内フラップと、少なくとも１つの側面部の上縁及び下縁のうち当該開閉面に隣接する縁を基端として延出された外フラップとからなり、内フラップの外側に外フラップが被された状態で封緘されるよう構成され、且つ、封緘状態で、内フラップが、その外側に被さる外フラップに対して箱内側に離間した位置に保持される緩衝内フラップとなるように構成されているダンボール箱であって、
各前記緩衝内フラップは、前記封緘状態で基端に連なる側面部に対して鋭角をなすように箱内側に折り曲げられる基端部と、前記封緘状態で前記基端部の折り曲げ方向と反対に折り曲げられ且つ外側に被さる外フラップに沿って延在する先端側部分と、前記封緘状態で他の緩衝内フラップに係止される係止部とを有する、
ことを特徴とするダンボール箱。
【０００６】
（作用効果）
本発明は、被梱包物に当接する緩衝体をいわゆる内フラップを利用して形成しようとするものである。特徴的には、上記のとおり構成されたダンボール箱では、緩衝内フラップにおける基端部とその基端に連なる側面との折り曲げ角度、及び先端側部分と基端部との折り曲げ角度が変わることにより、緩衝内フラップがその外側に被さる外フラップに対して近づいたり離れたりすることができ、換言すれば箱と被梱包物との間に位置する緩衝部分の厚さが変化できるようになる。しかもダンボールの折り曲げ部分には素材自体による復元作用があるため、所定の範囲内であれば、梱包に際し、被梱包物の寸法・形状に合わせて、緩衝内フラップにより形成される緩衝部分の厚さが自動調整される。さらに、この自動調整作用からも判るように、折り曲げ部分の復元作用により、緩衝内フラップは被梱包物を押さえ付けるように付勢されており、被梱包物に対する接触を維持したまま、外部からの衝撃を緩衝することもできる。
【０００７】
＜請求項２記載の発明＞
左右一対の端壁と、前後一対の側壁とからなる四角筒状の非開閉面と、
この非開閉面の上部開口及び下部開口をそれぞれ開閉する一対の開閉面と、を有し、
これら開閉面の少なくとも一方は、各前記端壁の上縁及び下縁のうち当該開閉面に隣接する縁を基端としてそれぞれ延出された一対の内フラップ、及び各前記側壁の上縁及び下縁のうち当該開閉面に隣接する縁を基端としてそれぞれ延出された一対の外フラップからなり、両内フラップの外側に両外フラップが重ねられた状態で封緘されるように構成され、且つ、封緘状態で、両内フラップが、その外側に被さる両外フラップに対して箱内側に離間した位置に保持される緩衝内フラップとなるように構成されているダンボール箱であって、
各前記緩衝内フラップは、前記封緘状態で基端に連なる端壁に対して鋭角をなすように箱内側に折り曲げられる基端部と、前記封緘状態で前記基端部の折り曲げ方向と反対に折り曲げられ且つ外側に被さる外フラップに沿って延在する先端側部分と、前記封緘状態で相対する緩衝内フラップに係止される係止部とを有する、
ことを特徴とするダンボール箱。
【０００８】
（作用効果）
本項記載の発明は、一般的な六面体状の段ボール箱を対象としたものであり、この場合においても、上述の本発明の利点がもたらされる。
【０００９】
＜請求項３記載の発明＞
前記一対の緩衝内フラップのうち、一方の緩衝内フラップにおける前記係止部として、一方の緩衝内フラップの先端縁に沿う方向に間隔を空けて複数の突出部を設け、他方の緩衝内フラップにおける前記係止部として、他方の緩衝内フラップの先端縁に前記一方の緩衝内フラップにおける複数の突出部間の間隔よりも狭い幅で突出する突出部を設けてなる、請求項２記載の段ボール箱。
【００１０】
（作用効果）
本項記載の発明は、係止部の好適な形態に関するものであり、一対の緩衝内フラップの先端部を交差するように仕向けるとともに、一方の緩衝内フラップの複数の突出部間に、他方の緩衝内フラップ突出部を入れることにより、折り曲げ部分に素材自体による復元作用が働き、一方の緩衝内フラップの複数の突出部の外面に他方の緩衝内フラップの先端が突き当たり、且つ一方の緩衝内フラップの複数の突出部間の先端が他方の緩衝内フラップの突出部に突き当たった状態で力が釣り合い、係止されるようになる。よって、極めて簡単・確実に係止及びその解除を行うことができるようになる。
【発明の効果】
【００１１】
以上の通り、本発明によれば、（イ）梱包に際し、被梱包物の寸法・形状に合わせて、緩衝内フラップにより形成される緩衝部分の厚さが自動調整されるため、被梱包物の寸法・形状に合わせた専用設計が不要となる、（ロ）被梱包物に対する接触を維持したまま、外部からの衝撃を緩衝できる、（ハ）加工や組立作業が容易になる、（ニ）ローコストで実現可能である、等の利点がもたらされる。
【発明を実施するための最良の形態】
【００１２】
以下、本発明の実施形態について添付図面を参照しつつ説明する。
図１〜図８は、本発明に係るダンボール箱１の実施形態を示している。このダンボール箱１は、封緘状態で直方体状をなすものであり、左右一対の端壁２，３と、前後一対の側壁４，５とからなる四角筒状の非開閉面と、各端壁２，３の上縁を基端としてそれぞれ延出された一対の緩衝内フラップ６，７、及び各側壁４，５の上縁を基端としてそれぞれ延出された一対の外フラップ８，９からなり、両緩衝内フラップ６，７の外側に両外フラップ８，９が重ねられた状態で封緘されるように構成された上開閉面Ｕと、フラップ１０，１１，１２，１３からなるアメリカンロック式の下開閉面Ｂと、を有している。
【００１３】
符号１４は、側壁５の側部と端壁２の側部とを連結するための糊代片を示している。この糊代片１４により一方の側壁５とこれに隣接する端壁２とを連結することで、四角筒状の非開閉面が形成される。また、図中の点線および二点鎖線は折り曲げのための罫線を示している。
【００１４】
一方の緩衝内フラップ７の先端縁前後方向両側の若干中央寄りには所定の前後方向幅Ｗ４で突出する第１の突出部（係止部に相当）７ａ，７ａ、が所定の前後方向間隔Ｗ３を空けてそれぞれ設けられるとともに、他方の緩衝内フラップ６の先端縁中央部には、前後方向において第１の突出部間に対応する位置に、所定の前後方向幅Ｗ１で突出する第２の突出部（係止部に相当）６ａが設けられている。突出部６ａ，７ａは略矩形状をなし、先端両側の角が円弧状に切り落とされている。また、他方の緩衝内フラップ６の先端縁の前後方向両側には、半円状切欠からなる指掛け部６ｂ，６ｂが切り抜かれている。
【００１５】
第２の突出部６ａの前後方向幅Ｗ１は、第１の突出部７ａ，７ａにおける前後方向間隔Ｗ３以下であることが好ましい。また、第２の突出部６ａの前後方向幅Ｗ１と、第１の突出部７ａ，７ａの前後方向幅Ｗ４と、緩衝内フラップ７の前後方向幅Ｗ５との関係は、好ましくは、Ｗ４を２倍したものにＷ１を加えたものがＷ５の半分より大きい。
【００１６】
また、第１の突出部７ａの突出長さＬ１は、一方の緩衝内フラップ７の延出長さＬ２の１／４０〜１／１０であるのが好ましい。第２の突出部６ａの長さは、第１の突出部７ａの突出長さＬ１と同じにするのが好ましい。
【００１７】
指掛け部６ｂ，６ｂの幅（前後方向長さ）Ｌ３は、２ｃｍ〜４ｃｍであることが好ましく、一方、切欠深さＬ４は２ｃｍ〜４ｃｍであることが好ましい。Ｌ３およびＬ４は、指または手が入る大きさであればどのように設計してもよく、これより大きくても小さくてもよい。但し、指掛け部６ｂは、他方の緩衝内フラップ６のうち、突出部６ａを有する部分、及び突出部７ａと突き合わさる部分を避けて設けることが好ましい。
【００１８】
本実施形態のように緩衝内フラップ６，７の先端相互を係止する場合、一方の緩衝内フラップ７の延出長さ（突出部７ａを除く）Ｌ５と他方の緩衝内フラップ６の延出長さ（突出部６ａを除く）Ｌ２とを足した長さは、側壁４，５の左右方向幅Ｗ６の長さの１．１〜１．５倍であるのが好ましい。この範囲外では後述する緩衝部分の厚さの調整幅が狭くなり過ぎる。また１．５倍を超えると、箱の大きさの割に緩衝部分が厚くなり過ぎる。更に、一方の緩衝内フラップ７の延出長さ（突出部７ａを除く）Ｌ５と他方の緩衝内フラップ６の延出長さ（突出部６ａを除く）Ｌ２とを足した長さは、側壁４，５の左右方向幅Ｗ６の長さの１．２〜１．４倍であるのとより好ましい。また、緩衝内フラップ６，７の延出長さＬ２、Ｌ５は、同じである必要はなく、緩衝内フラップ６，７の先端縁が互いに突き合わさる位置に応じて自由にその比率を変更できる。例えば、Ｌ２とＬ５の長さが同じでなければ、緩衝内フラップ６，７の先端縁の突き合わさる位置は左右方向にずれる。
【００１９】
一方、緩衝内フラップ６，７には、それぞれ、緩衝内フラップ６，７を箱外側に向かって折り曲げる折り曲げ罫線６ｘ，７ｘが形成されている。折り曲げ罫線６ｘ，７ｘは前後方向に亘って延在しており、端壁２，３の上端縁と平行に形成されている。折り曲げ罫線６ｘ，７ｘの基端側６Ｂ，７Ｂが本発明の基端部に相当し、折り曲げ罫線６ｘ，７ｘの先端側７Ｆ，７Ｆが本発明の先端側部分に相当する。
【００２０】
各緩衝内フラップ６，７における基端縁と折り曲げ罫線６ｘ，７ｘとの離間距離Ｌ６，Ｌ７は適宜定めることができる。離間距離Ｌ６は５ｍｍ〜２５ｍｍの範囲であるのが好ましい。また、離間距離Ｌ７は５ｍｍ〜２５ｍｍの範囲であるのが好ましい。これらの離間距離は同じにするのが好ましいが、必要に応じて異ならしめることもできる。これらの離間距離Ｌ６が短すぎると、加工が難しくなってしまう等の問題点があり、長すぎると、封緘時の緩衝内フラップ６，７と外フラップ８，９との隙間が大きくなりすぎる等の問題点がある。
【００２１】
他方、上述のように構成されたダンボール箱１では、上開閉面Ｕの封緘に際して、図３及び図４に示すように、両緩衝内フラップ６，７の基端部６Ｂ，７Ｂをそれぞれ端壁２，３に対して鋭角θ1をなすように内側に折り曲げ、且つこの基端部６Ｂ，７Ｂに対して先端側部分６Ｆ，７Ｆを折り曲げ罫線６ｘ，７ｘで外側に折り曲げるとともに、図５及び図７に示すように、一方の緩衝内フラップ７の突出部７ａ，７ａ間に、他方の緩衝内フラップ６の突出部６ａを入れようにして、両緩衝内フラップ６，７を交差させて係止させる。これにより、折り曲げ部分に素材自体による復元作用が働くため、一方の緩衝内フラップ７の複数の突出部７ａ，７ａの外面に他方の緩衝内フラップ６の先端が突き当たり、且つ一方の緩衝内フラップ７ａ，７ａの複数の突出部間の先端が他方の緩衝内フラップ６の突出部６ａに突き当たった状態で力が釣り合い、係止されるようになる。しかる後、図６に示すように、これら緩衝内フラップ６，７を覆うように、外フラップ８，９を折り畳むことによって上開閉面Ｕを封緘することができる。
【００２２】
このように組み立てられたダンボール箱１では、緩衝内フラップ６，７における基端部６Ｂ，７Ｂと端壁２，３との折り曲げ角度θ1、及び先端側部分６Ｆ，７Ｆと基端部６Ｂ，７Ｂとの折り曲げ角度θ2が変わることにより、図中に二点鎖線で示すように、緩衝内フラップ６，７は、互いの係止を維持したまま、その外側に被さる外フラップ８，９に対して近づいたり離れたりすることができる。換言すれば、箱と被梱包物との間に位置する緩衝部分の厚さＴが変化できるようになる。しかもダンボールの折り曲げ部分には素材自体による復元作用があるため、所定の範囲内であれば、梱包に際し、被梱包物の寸法・形状に合わせて、緩衝内フラップ６，７により形成される緩衝部分の厚さＴが自動調整される。さらに、この自動調整作用からも判るように、折り曲げ部分の復元作用により、緩衝内フラップ６，７は被梱包物を押さえ付けるように付勢されており、被梱包物に対する接触を維持したまま、外部からの衝撃を緩衝することもできる。
【００２３】
なお、両緩衝内フラップ６，７の基端部６Ｂ，７Ｂの折り曲げ角度θを鋭角としたのは、この角度が鈍角であると、係止状態を維持したまま緩衝部分の厚さＴを自動調整することができなくなるからである。
【００２４】
また、封緘後に開封する際には、外フラップ８，９を外側に開いた後、緩衝内フラップ６，７の突合せ部分に露出する指掛け部６ｂに指を挿入し、緩衝内フラップ６，７を左右方向にずらすことにより、簡単に両緩衝内フラップ６，７の係止を解き、開封することができる。
【００２５】
他方、本実施形態においては、下開閉面Ｂは、フラップ１０，１１，１２，１３によるアメリカンロックによって封緘することができるが、本発明はこれに限定されるものではなく、非梱包物に応じてアメリカンロック以外の公知の封緘形態を採用することができる。
【００２６】
＜他の実施形態＞
上記の実施形態では、直方体状のダンボール箱の例を示したが、本発明はこれに限定されるものではなく、立方体状であっても、またその他の立体形状であっても良い。要は、開閉面の封緘状態において、開閉面の内フラップに折り曲げ罫線と係止部とが形成されており、封緘状態で、当該折り曲げ罫線で内フラップが外側に折り曲げられ、且つ、係止部によって内フラップ同士が係止されればよい。
また、上記実施形態では、上開閉面Ｕのみに緩衝内フラップ６，７及び外フラップ８，９を備え付けているが、これとともに又はこれに代えて、下開閉面Ｂに同様の緩衝内フラップ及び外フラップを備え付けることもできる。
さらに、上記実施形態では、両緩衝内フラップ６，７の先端相互を係止するように構成したが、先端に限られるものではなく、他の部位で係止する形態を採ることもできる。
【産業上の利用可能性】
【００２７】
本発明は、ダンボール箱に適用できるものである。
【図面の簡単な説明】
【００２８】
【図１】本発明に係るダンボール箱の展開図である。
【図２】ダンボール箱の封緘状態を示す斜視図である。
【図３】ダンボール箱の封緘作業途中を示す斜視図である。
【図４】ダンボール箱の封緘作業途中を示す斜視図である。
【図５】ダンボール箱の封緘作業途中を示す斜視図である。
【図６】ダンボール箱の封緘作業途中を示す斜視図である。
【図７】ダンボール箱のＡ−Ａ断面図である。
【図８】ダンボール箱のＢ−Ｂ断面図である。
【符号の説明】
【００２９】
１…ダンボール箱、２…端壁、３…端壁、４…側壁、５…側壁、６…緩衝内フラップ、７…緩衝内フラップ、８…外フラップ、９…外フラップ、１０…フラップ、１１…フラップ、１２…フラップ、１３…フラップ、１４…糊代片、６ａ…係止部、６ｂ…指掛け部、６ｘ…折り曲げ罫線、７ａ…係止部、７ｘ…折り曲げ罫線。
【図１】
2008265773.tif 000003
【図２】
2008265773.tif 000004
【図３】
2008265773.tif 000005
【図４】
2008265773.tif 000006
【図５】
2008265773.tif 000007
【図６】
2008265773.tif 000008
【図７】
2008265773.tif 000009
【図８】
2008265773.tif 000010